(57)【要約】【課題】プロファイルは、電話機で実行しているアプリケーションの視覚的および音響的の少なくとも一方の挙動を変えるように意図されていない。【解決手段】モバイル電子装置は、該装置がアプリケーションを実行しているときで且つ装置がユーザに対して知らせる必要があるイベントが起こるときに装置が所定のイベント通知プロファイルにしたがってアプリケーションの視覚的および音響的の少なくとも一方の挙動を変えるようにプログラムされている。ユーザは、装置内に記憶された利用可能なプロファイルのメニューから所望のイベント通知プロファイルを選択することができる。例えば、イベント通知プロファイルは、所定の移行効果を使用して代替的な状態へと穏やかにフェーディングするアプリケーションにおけるグラフィックスおよび音声の少なくとも一方であってもよい。【特許請求の範囲】
【請求項１】
電子情報装置であって、
該装置が、アプリケーションを実行しているときに、ユーザに対して知らせる必要があるイベントが起こると、所定のイベント通知プロファイルにしたがって、前記アプリケーションの視覚的および音響的の少なくとも一方の挙動を変えるようにプログラムされており、前記装置内に記憶された利用可能なプロファイルのメニューからユーザが所望のイベント通知プロファイルを選択できるように構成された、電子情報装置。
【請求項２】
前記イベント通知プロファイルは、前記アプリケーションを直ちに停止させ、または一時停止させる、電話の着信である、請求項１に記載の装置。
【請求項３】
前記イベント通知プロファイルは、代替の状態へと穏やかにフェーディングする前記アプリケーションにおいて、グラフィックスおよび音声の少なくとも一方である、請求項１に記載の装置。
【請求項４】
前記イベント通知プロファイルが３Ｄ音響効果の生成である、請求項１に記載の装置。
【請求項５】
異なるイベント通知プロファイルが異なるアプリケーションに適用されるようにプログラムされる、請求項１から４のいずれかに記載の装置。
【請求項６】
異なるイベント通知プロファイルが異なる日時に適用されるようにプログラムされる、請求項１から５のいずれかに記載の装置。
【請求項７】
異なるイベント通知プロファイルが異なる環境要因に適用されるようにプログラムされる、請求項１から６のいずれかに記載の装置。
【請求項８】
異なるイベント通知プロファイルが異なる物理的または論理的な場所に適用されるようにプログラムされる、請求項１から７のいずれかに記載の装置。
【請求項９】
前記イベント通知プロファイルがリモートサービスからダウンロードされる、請求項１から８のいずれかに記載の装置。
【請求項１０】
前記イベント通知プロファイルが、グラフィックコンテンツまたは音声コンテンツを含むか、または参照する、請求項１から９のいずれかに記載の装置。
【請求項１１】
前記コンテンツがダウンロード可能な項目を含む、請求項１０に記載の装置。
【請求項１２】
前記ダウンロード可能な要素は、特定のイベントが起こる際に装置がどのように振る舞うのかについての制御「論理」および、実際の音声、グラフィックまたはビデオコンテンツ自体の両方を含む、請求項１１に記載の装置。
【請求項１３】
前記イベント通知プロファイルは、イベント通知ウインドウまたはアイコンの外観または音響的挙動を規定する、請求項１から１２のいずれかに記載の装置。
【請求項１４】
携帯機器またはモバイル機器である、請求項１から１３のいずれかに記載の装置。
【発明の詳細な説明】
【技術分野】
【０００１】
この発明は、イベントの通知を与えることができる電子情報装置に関する。この特許明細書で使用される用語「電子情報装置」は、携帯電話、スマートフォン、通信器、パーソナルコンピュータ、デスクトップコンピュータ、および、特定用途向けデバイスを網羅するように拡張的に解釈されるべきである。電子情報装置は、ＧＳＭまたはＵＭＴＳ、ＣＤＭＡおよびＷＣＤＭＡ移動無線、ブルートゥース、ＩｒＤＡ等の任意の種類の無線ネットワークを介して、および、任意の配線に基づくネットワークを介して任意の様式で通信できる装置を含んでいる。また、電子情報装置は、通信能力を伴わない装置も含んでいる。イベントは、電話の着信または接続等の通信イベントに関連付けられてもよい。
【背景技術】
【０００２】
モバイル機器または携帯機器は、娯楽装置と通信装置とが益々組み合わせられてきている。これらのサービスについてはシームレス統合が望ましい（すなわち、装置が娯楽提供から通信機能へと切り換わる方法は、途切れがなく且つ洗練されていでなければならない）。しかし、現在の設計はこのようにはなっていない。
【０００３】
これは、アプリケーションが装置で実行しているときで且つ装置がユーザに対して知らせる必要があるイベントが起こるとき、例えば携帯機器がウェブまたはＷＡＰブラウザアプリケーションを実行しているときで且つ電話の着信があるときに何が起こるのかを考慮すると最も明らかである。非無線空間からの一例は、ワードプロセッサを実行しており且つかかってくるＶＯＩＰ呼び出し或いはダイアリ・イベント・リマインダーがあるＰＣである。一部の携帯機器では、通知が再生されると、アプリケーションが突然に中断される。
【０００４】
電話機の挙動を決定する様々な「プロファイル」を携帯電話に与えることは知られている。例えば、「ミーティング」プロファイルは、呼出音（ringer）をＯＦＦして全ての呼び出しを直ちにボイスメールへ転送してもよい。「アウトドア」プロファイルは、呼出音ボリュームを最大に設定してもよい。
【発明の開示】
【発明が解決しようとする課題】
【０００５】
しかしながら、これらのプロファイルは、電話機で実行しているアプリケーションの視覚的および音響的の少なくとも一方の挙動を変えるように意図されていない。
【課題を解決するための手段】
【０００６】
本発明は、電子情報装置であって、該装置がアプリケーションを実行しているときで且つ装置がユーザに対して知らせる必要があるイベントが起こるときに装置が所定のイベント通知プロファイルにしたがってアプリケーションの視覚的および音響的の少なくとも一方の挙動を変えるようにプログラムされ、装置内に記憶された利用可能なプロファイルのメニューからユーザが所望のイベント通知プロファイルを選択できる電子情報装置である。
【０００７】
「アプリケーション」は、ブラウザ、ワードプロセッサ、ゲームアプリケーション、メッセージアプリケーション、電子メールアプリケーション、ミュージックプレーヤ、ビデオプレーヤ等、通常の動作で視覚的および音響的の少なくとも一方の挙動を示すプログラムである。
【０００８】
例えば、イベント通知プロファイルは、電話の着信があるときにアプリケーションがどのように作動する（例えば、出現する）のかを規定することができる。例えば、イベント通知プロファイルは、電話の呼び出しがアプリケーションを直ちに停止させ、休止させ、或いは、一時停止させることを規定することができる。
【０００９】
これに加え或いはこれに代えて、イベント通知プロファイルは、アプリケーションにおけるグラフィックスおよび／または音声が代替の状態へと穏やかにフェーディングすること或いは所定の視覚および／または音響移行効果を伴って優美に移行することを規定することができる。イベント通知ウインドウまたはアイコンは、何らかの他のユーザ定義の視覚的および／または音響的様式で優美にフェーディングし或いは出現することができる。
【００１０】
また、イベント通知プロファイルは、所定の状況で起こるように特定の３Ｄ音響効果の選択を含むこともできる。
【００１１】
異なるイベント通知プロファイルは、
・異なるアプリケーション
・異なる日時
・異なる環境要因
・異なる物理的または論理的な場所
に適用できる。
【００１２】
利用可能なプロファイル（または、テーマ）のメニューにより、ユーザは、イベントが知らされる必要があるときに任意の特定のアプリケーションの特定の視覚的および音響的の少なくとも一方の挙動がどのように変わるのかを容易に規定することができる。また、これは、時間、環境要因、場所に応じたものであってもよく、また、異なる所定のイベントタイプに伴って変わってもよい。
【００１３】
イベント通知プロファイルは、リモートサービスからダウンロードすることができ、また、グラフィックスおよび音声の少なくとも一方のコンテンツを含んでいてもよく、或いは参照してもよい（携帯電話着信音／壁紙等がダウンロードできる方法と同じ方法でダウンロードすることができる）。
【発明を実施するための最良の形態】
【００１４】
娯楽のため、例えばビデオを見るため、音楽を聴くため、或いは、ゲーム（「アプリケーション」）をするためにユーザが携帯電話装置を使用している場合には、通話またはメッセージを受けることができるように通常はテレコム「受信」機能がアクティブになる。電話の着信またはメッセージが届く場合には、この「イベント」についてユーザに伝える何らかの方法が必要となる。他のタイプのイベント、例えば、約束の期日がきていることをユーザに知らせるための自己管理手帳ソフトウェアからのスケジューリングイベントも起こり得る。この発明は、モバイル機器のこれらのイベントおよびその後の挙動を扱うための新規な方法について説明する。
【００１５】
最も簡単な挙動は、画面で或いは可聴警報を用いてユーザに対してイベントを知らせること、行動を起こす（例えば、通話に出る、或いはテキストメッセージを読む）べきかどうかをユーザが選択できるようにすること、および、その後、選択されたモードに入ることである。しかしながら、これは、やぼなことであり、あまり愉快なユーザ体験ではない。
【００１６】
この発明は、おそらく装置によって表示されるメニュー上の事前に設定された一連のテーマから「テーマ」と称することもできる１つの「プロファイル」をユーザが好みに合うように選択できるようにする構造である。各テーマは、各イベントにおいて、或いは更にはイベントの組み合わせにおいてモバイル機器がどのように振る舞うのかを規定する。アプリケーション（或いは、複数のアプリケーション）のグラフィック挙動および音声挙動はいずれもテーマによって制御される。ビジネスマンのためのテーマは、通話が直ちにアプリケーションを停止させ或いは一時停止させるテーマであってもよい。十代の若者のためのテーマは、アプリケーションにおけるグラフィックスおよび音声を、代替の状態へと、おそらく小さなグラフィック画像および更に静かな音声へと穏やかにフェーディングさせるテーマであってもよい。３Ｄグラフィックスおよび／または３Ｄ音声能力を用いると、アプリケーションに関連付けられた音場を３Ｄ空間内で他の場所へと特定の速度で特定の経路等に沿って移動させることができる。したがって、「滑らかな」スタイル、「派手な（jazzy）」スタイル等が存在し得る。
【００１７】
また、テーマは、複数のイベントがどのように扱われるのかを定めることもできる。おそらく、ユーザは、入ってくるテキストメッセージが音楽の再生を中断させるべきであるがゲームを中断させるべきでないことを決定してもよい。他のユーザは、通話によってのみゲームを中断させることができるがテキストメッセージによってゲームを中断させるべきでないことを決定してもよい。
【００１８】
また、テーマは、他のデータ、例えば日時または場所に関連付けることもできる。ユーザは、日中および夜間において異なる挙動を規定することができる。挙動は、ヘッドホンおよびプラグ差し込みが成されているか否かに応じて、或いは、ユーザが選択したヘッドホン／スピーカモードに応じて、異ならせることができる。挙動は、マイクロホンによって拾い上げられる信号により決定される環境騒音レベルに関連付けることができる。挙動は、カメラモジュール等によって検出される光レベルに関連付けることができる。
【００１９】
テーマは、ちょうど着信音がかかってくる電話における「音声コンテンツ」であるように、グラフィックまたは音声コンテンツを含むことができる。
【００２０】
テーマは、ちょうど着信音がそうであるように、販売できる／ダウンロードできる項目となり得る。テーマのダウンロードできる要素は、特定のイベントが起こる際に装置がどのように振る舞うのかについての制御「論理」、および、実際の音声、グラフィックまたはビデオコンテンツ自体の両方を含むことができる。
【００２１】
この発明を実施するため、モバイル機器内のソフトウェアは、ミュージックプレーヤ、メッセージサービス、カメラ、および、マイクロホン信号等のオペレーティングシステムの必要とされる機能の全てと通信するように設計される。したがって、ソフトウェアは、必要とされるイベントにアクセスできるとともに、ビデオおよび音声に関して電話中に起動するアプリケーションの挙動或いは実際にカメラライトおよびバイブレータ等の任意の他の特徴の挙動を制御できる能力を有する。
【００２２】
他の例  ユーザケース
カメラセンサが微光状態を検出し、電話の着信イベント（或いは実際に、テーマによって設定される任意の他のイベント）が起こる場合には、カメラライトをＯＮにさせることができ或いは何らかのパターンで光らせることができる。これにより、電話機を暗闇の中に容易に配置することができる。
【００２３】
電話機が最後に使用されたときからの経過時間は、特定のイベントが起こるときの挙動に影響を与えることができる。なぜなら、これは、装置が手で保持されている可能性、したがって、起こり得る挙動が必要とされる可能性に影響を及ぼすからである。
【００２４】
また、電話機の挙動に影響を与えるために電話機の使用パターンを記録して使用することもでき、それにより、おそらく年配のユーザまたは若いユーザ間を区別することができる。電話機が主に例えばテキストメッセージのために使用される場合、所望の挙動は、時々のユーザにとって必要とされる挙動とは異なる可能性がある。テーマは、この機能性を組み入れることができるとともに、多くの異なる使用ケースに効果的に適合するように形成することができる。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
電子情報装置であって、
該装置が、娯楽アプリケーションを実行しているときに、ユーザに対して知らせる必要がある受信イベントまたはスケジューリングイベントが起こるときに、選択されたイベント通知プロファイルにしたがって、前記娯楽アプリケーションの視覚的および音響的の少なくとも一方の挙動を変えるようにプログラムされており、前記装置内に記憶された利用可能なイベント通知プロファイルのメニューからユーザが１つのイベント通知プロファイルを選択できるように構成された、電子情報装置。
【請求項２】
前記利用可能なイベント通知プロファイルのうちの１つは、電話の着信が前記娯楽アプリケーションを直ちに停止させ、または一時停止させるように規定する、請求項１に記載の装置。
【請求項３】
前記利用可能なイベント通知プロファイルのうちの１つは、前記娯楽アプリケーションにおけるグラフィックスおよび音声の少なくとも一つが、代替の状態へと穏やかにフェーディングすることを規定する、請求項１に記載の装置。
【請求項４】
前記利用可能なイベント通知プロファイルのうちの１つが３Ｄ音響効果の生成を画定する、請求項１に記載の装置。
【請求項５】
異なるイベント通知プロファイルが異なるアプリケーションに適用されるようにプログラムされる、請求項１から４のいずれかに記載の装置。
【請求項６】
異なるイベント通知プロファイルが異なる日時に適用されるようにプログラムされる、請求項１から５のいずれかに記載の装置。
【請求項７】
異なるイベント通知プロファイルが異なる環境要因に適用されるようにプログラムされる、請求項１から６のいずれかに記載の装置。
【請求項８】
異なるイベント通知プロファイルが異なる物理的または論理的な場所に適用されるようにプログラムされる、請求項１から７のいずれかに記載の装置。
【請求項９】
前記利用可能なイベント通知プロファイルのうちの１つがリモートサービスからダウンロードされる、請求項１から８のいずれかに記載の装置。
【請求項１０】
前記利用可能なイベント通知プロファイルのうちの１つが、グラフィックコンテンツまたは音声コンテンツを含むか、または参照する、請求項１から９のいずれかに記載の装置。
【請求項１１】
前記グラフィックコンテンツまたは音声コンテンツがダウンロード可能な項目を含む、請求項１０に記載の装置。
【請求項１２】
前記ダウンロード可能な要素は、特定のイベントが起こる際に装置がどのように振る舞うのかについての制御「論理」および、実際の音声、グラフィックまたはビデオコンテンツ自体の両方を含む、請求項１１に記載の装置。
【請求項１３】
前記利用可能なイベント通知プロファイルのうちの１つは、イベント通知ウインドウまたはアイコンの外観または音響的挙動を規定する、請求項１から１２のいずれかに記載の装置。
【請求項１４】
携帯機器またはモバイル機器である、請求項１から１３のいずれかに記載の装置。
【国際調査報告】
2009525653.tif 000002
2009525653.tif 000003
2009525653.tif 000004